(57)【要約】【課題】設備業者との相番工事をせずに、浴室を施工することができる洗い場付浴槽の配管構造を提供する。【解決手段】洗い場付浴槽１のエプロン部３に、浴槽２側へ凹んだ凹部５を設け、この凹部５の底面５ａを貫通して設備配管６を浴室内へ導いて構成する。【選択図】                図１
2004358104.tif 000002
【特許請求の範囲】
【請求項１】
洗い場付浴槽のエプロン部に、浴槽側へ凹んだ凹部を設け、該凹部の底面を貫通して設備配管を浴室内に導くことを特徴とする洗い場付浴槽の配管構造。
【請求項２】
前記凹部は、前記エプロン部に形成された開口と、該開口内に嵌め込まれる凹状部材で構成されていることを特徴とする請求項１に記載の洗い場付浴槽の配管構造。
【請求項３】
前記凹状部材が上下に分割されていることを特徴とする請求項２に記載の洗い場付浴槽の配管構造。
【発明の詳細な説明】
【０００１】
【発明の属する技術分野】
この発明は、洗い場付浴槽における配管構造に関するものである。
【０００２】
【従来の技術】
従来、洗い場付浴槽は、図７，図８，図９に縦断面で示すようなタイプがあり、図７では、浴槽部２とエプロン部３と洗い場部４が連続して一体で形成されたものである。
また、図８では、洗い場部４とエプロン部３が一体形成されており、浴槽部２のみが分離された構造となっている。
また、図９では、浴槽部２とエプロン部３と洗い場部４がそれぞれ分離されて形成され、それぞれ連結して設置される構造のものである。
【０００３】
【特許文献１】
特許第２７１５８２４号特許公報
【０００４】
【発明が解決しようとする課題】
洗い場付浴槽１は、浴槽部２の下方に防水パンが存在しない形式のものであり、このような洗い場付浴槽１を現場に設置する場合には、洗い場付浴槽１を設置するユニット業者と、水道配管等を配管施工する設備業者との相番工事となり、ユニット業者と設備業者が相番工事を行うために、工事の納期が長くなってしまうという問題点があった。
【０００５】
【課題を解決するための手段】
本発明は、上記従来の問題点に鑑み案出したものであって、設備業者との相番工事を行うことなく、ユニット業者が短期間で洗い場付浴槽を設置することのできる洗い場付浴槽の配管構造を提供せんことを目的とし、その第１の要旨は、洗い場付浴槽のエプロン部に、浴槽側へ凹んだ凹部を設け、該凹部の底面を貫通して設備配管を浴室内に導くことである。
また、第２の要旨は、前記凹部は、前記エプロン部に形成された開口と、該開口内に嵌め込まれる凹状部材で構成されていることである。
また、第３の要旨は、前記凹状部材が上下に分割されていることである。
【０００６】
【発明の実施の形態】
以下、本発明の実施例を図面に基づいて説明する。
図１は、洗い場付浴槽１の浴室内側から見た要部斜視構成図であり、浴槽部２とエプロン部３と洗い場部４が連続して形成され、エプロン部３には、浴槽部２側へ凹んだ凹部５が形成されている。
この凹部５の底面５ａを貫通して、凹部５内に設備配管６が垂直に立ち上げ配管されている。この設備配管６は、水道業者等の設備業者が先に躯体側から立ち上げて施工しておく水用および湯用の配管である。
【０００７】
先に立ち上げ施工されている設備配管６，６に対し、ユニット業者が上方より洗い場付浴槽１を降ろして設置する時に、凹部５の底面５ａを貫通させて、凹部５内に設備配管６を配置させることができ、この設備配管６，６に対し、浴室内でユニット業者により内部配管１０が接続されて水栓が浴室内に設置されるものである。
【０００８】
このように、設備配管６を設置する設備業者との相番工事をせずに、先に設置されている設備配管６に対し、ユニット業者が洗い場付浴槽１を施工することができ、相番工事をしないために、工事の納期を短縮することができるものとなる。
また、室内側から設備配管６と内部配管１０の接続部の点検を行うことができ、メンテナンスも容易なものとなる。
また、設備業者においても、設備配管６を躯体側から立ち上げておけば良く、従来のように、洗い場付浴槽１に沿って配管を取り回す必要がなく、設備業者の配管工事も容易なものとなる。
【０００９】
図２の断面図で示すものは変更例であり、図２では、エプロン部３に予め開口３ａを貫通形成させておき、この開口３ａ内に、洗い場部４側から、別体で形成した凹状部材７を嵌め込んでエプロン部３に凹部５を形成させたものである。
【００１０】
この凹状部材７は、図３に斜視図で示すような形状に形成されており、水平状の上面７ａから、垂直に背面７ｂが形成され、背面７ｂの下端から、水平に底面７ｃが形成されており、更に側面７ｄが左右側に連続して、方形箱状に形成されており、洗い場部４側の外周には、外方へ突出して鍔部７ｅが一体形成されている。
この鍔部７ｅにビス孔７ｆ，７ｆ，７ｆを形成させておき、ビス孔７ｆ内にビスを入れ、ビスをエプロン部３に締め付けることにより、エプロン部３の開口３ａに凹状部材７を取り付けて、凹部５を形成させることができるものである。
【００１１】
なお、凹状部材７の底面７ｃには、シール材９を内装した貫通アダプタ８，８を固定状に取り付けておくことができるものである。
このように貫通アダプタ８を取り付けた凹状部材７をエプロン部３に取り付けておき、既に設備業者により立ち上げ状に設置されている設備配管６に対し、上方より貫通アダプタ８を整合させて、洗い場付浴槽１を下方へ降ろしていくことにより、設備配管６の上端の接続部６ａが貫通アダプタ８内を貫通して、凹部５内に立ち上がり状に配置されるものであり、この凹部５内に配置された設備配管６の接続部６ａに対し、図６に示すように、洗い場部４側から内部配管１０，１０を接続して、内部配管１０を浴室内に配設することができる。
【００１２】
このように別体の凹状部材７をエプロン部３の開口３ａに取り付ける構成では、洗い場付浴槽１を成型する際に、横方向へ型を抜く必要がなく、図７，図８に示すような洗い場付浴槽１を良好に成型することができ、その後に、開口３ａを設けて、別体の凹状部材７を取り付けることができ、成型が容易なため、製造コストを低減させることができるものとなる。
【００１３】
なお、図４の分解図で、また図５の組付状態の断面構成図で示すものは、変更例であり、凹状部材７を、下方の下部部材７Ａと、上部の上部部材７Ｂに分割形成したものである。
下部部材７Ａは、底面７ｃと側面７ｄ，７ｄを有し、背面７ｂが上方へ一体状に立ち上げられて上部が開放状態となっており、底面７ｃには、前記貫通アダプタ８を取り付ける貫通孔７ｇ，７ｇが２個貫通形成されている。また、底面７ｃ，側面７ｄ，７ｄの洗い場部４側の外周には、鍔部７ｅが形成されており、この鍔部７ｅには、複数のビス孔７ｆ，７ｆが貫通形成されている。
また、上部部材７Ｂは、上面７ａと側面７ｄ，７ｄを有し、背面側には背面ビス孔７ｈ，７ｈ，７ｈが複数貫通形成されている。また、洗い場部４側の外周には鍔部７ｅが一体形成され、この鍔部７ｅには、複数のビス孔７ｆ，７ｆ，７ｆが形成されている。
【００１４】
このような上下に分割された凹状部材７のうちの下部部材７Ａを、先ずエプロン部３の開口３ａ内の下部にビス１４を介して取り付けておく。即ち、ビス１４を下部部材７Ａのビス孔７ｆ，７ｆ，７ｆ内に入れて、ビス１４でこの下部部材７Ａを予めエプロン部３に取り付けておく。
この状態で、既に設備業者により立ち上げ状に設置されている設備配管６に対し、上方より貫通アダプタ８を整合させ、洗い場付浴槽１を下方へ降ろしてゆくことにより、設備配管６が貫通アダプタ８内を貫通して下部部材７Ａ内に立ち上がり状に配置される。
その後に、下部部材７Ａ内に洗い場部４側から手を入れて、エプロン部３の上部に浴槽部２を連結することができ、下部部材７Ａの上部が開放状態となっているため、浴槽部２の連結作業を良好に行うことができる。
【００１５】
浴槽部２をエプロン部３に繋いだ後に、エプロン部３の開口３ａ内に上部部材７Ｂを差し込んで、この上部部材７Ｂの背面ビス孔７ｈ，７ｈにビス１４を入れて、ビス１４で上部部材７Ｂの背面側を下部部材７Ａにシール材１３を介在させて連結固定することができ、さらに上部部材７Ｂの鍔部７ｅに形成されているビス孔７ｆ，７ｆ，７ｆ内にビス１４を入れて、ビス１４により上部部材７Ｂをエプロン部３に固定することができる。
その後に、設備配管６の接続部６ａに対し、洗い場部４側から内部配管１０，１０を接続することができるものであり、このような下部部材７Ａと上部部材７Ｂに分割したことにより、下部部材７Ａの上部が開放状態となっているため、この部分から浴槽部２とエプロン部３の接続作業を良好に行うことができ、施工が容易なものとなる。
【００１６】
なお、内部配管１０を隠蔽させるために、図６に示すように、エプロン部３の側方にカウンター１１を連続状に取り付けて、このカウンター１１により内部配管１０をスッキリとした状態に隠蔽させることができ、カウンター１１の前面には、内部配管１０に接続される水栓金具１２を取り付けることができるものである。
また、凹状部材の鍔部７ｅは、カウンター１１により隠蔽されることとなり、同時に、設備配管の接続部６ａも良好にカウンター１１により隠蔽されるものとなる。
なお、図６中、３ｂは点検口である。
【００１７】
【発明の効果】
本発明の洗い場付浴槽の配管構造は、洗い場付浴槽のエプロン部に、浴槽側へ凹んだ凹部を設け、凹部の底面を貫通して設備配管を浴室内に導くこととしたため、先に設備配管を立ち上げて施工しておけば、この設備配管を凹部の底面を貫通させて浴室内に配置することができ、設備配管を施工する設備業者と、洗い場付浴槽を施工するユニット業者との相番工事をせずに、工事の納期を短縮して施工することができるものとなり、また、ユニット業者は、浴室内側から設備配管との接続部の点検等を行うことができ、メンテナンスも容易なものとなる。
【００１８】
また、前記凹部は、エプロンに形成された開口と、開口内に嵌め込まれる凹状部材で構成されていることにより、洗い場付浴槽を安価に成型させることができ、その後に別体の凹状部材を取り付け、この凹状部材により凹部をエプロンに形成させ、凹部内に設備配管を立ち上げ状に配置させることができ、設備業者との相番工事をせずに、納期を短縮して良好に施工することができるものとなる。
【００１９】
また、前記凹状部材が上下に分割されていることにより、上部が開放されている下部部材を先にエプロンに取り付けておき、下部部材の中に手を入れて良好にエプロンの上部に浴槽部を接続することができ、接続作業が容易なものとなる。その後に、下部部材に対し上部部材を連結して、良好に施工することができるものとなる。
【図面の簡単な説明】
【図１】洗い場付浴槽のエプロン部に凹部を設けて、凹部内に設備配管を配置させた状態の要部斜視構成図である。
【図２】別体の凹状部材をエプロン部に取り付けて、凹部を形成させた状態の要部縦断面構成図である。
【図３】凹状部材の斜視構成図である。
【図４】上下に分割された凹状部材の分解斜視図である。
【図５】図４の凹状部材を組み付けた状態の縦断面図である。
【図６】室内側の配管をカウンターを設けて隠蔽させた状態の斜視構成図である。
【図７】一体型の洗い場付浴槽の断面構成図である。
【図８】浴槽部が分離された洗い場付浴槽の断面構成図である。
【図９】浴槽部とエプロン部と洗い場部がそれぞれ分離された洗い場付浴槽の断面構成図である。
【符号の説明】
１    洗い場付浴槽
２    浴槽部
３    エプロン部
３ａ    開口
４    洗い場部
５    凹部
５ａ    底面
６    設備配管
６ａ    接続部
７    凹状部材
７ｃ    底面
７ｅ    鍔部
７ｇ  貫通孔
７ｈ  背面ビス孔
７Ａ  下部部材
７Ｂ  上部部材
８    貫通アダプタ
９    シール材
１０    内部配管
１１    カウンター
１２    水栓金具
１４  ビス
【図１】
2004358104.tif 000003
【図２】
2004358104.tif 000004
【図３】
2004358104.tif 000005
【図４】
2004358104.tif 000006
【図５】
2004358104.tif 000007
【図６】
2004358104.tif 000008
【図７】
2004358104.tif 000009
【図８】
2004358104.tif 000010
【図９】
2004358104.tif 000011